(57)【要約】【課題】バックアップ用の電池を搭載した電子部品ユニットにおいて、電池が外れても電池がはんだ槽に落ちないようにするとともに、高さが高くならないようにする。【解決手段】基板１上に電池４とこの電池４と略同じ高さの部品５とを実装し、部品５は基板はんだ付け時の搬送方向からみて電池４の略後方になるように配置する。【選択図】図１
2007115611.tif 000002
【特許請求の範囲】
【請求項１】
基板上に電池とこの電池と略同じ高さの部品とを実装し、前記部品は基板はんだ付け時の搬送方向からみて前記電池の略後方になるように配置した電子部品ユニット。
【請求項２】
電池の端子間を結んだ線と基板はんだ付け時の搬送方向が略直交するように、前記電池を配置した請求項１記載の電子部品ユニット。
【請求項３】
表示動作をする表示手段と、この表示手段を固定する固定手段とを備え、電池は前記表示手段の外側に配置し、前記電池の略後方に配置した部品に代えて、前記固定手段に前記電池の高さと略同じ高さの延設部を設け、前記延設部は基板はんだ付け時の搬送方向からみて前記電池の略後方になるように設けた請求項１または２記載の電子部品ユニット。
【請求項４】
炊飯器本体内に着脱自在に収納される鍋と、前記鍋を加熱する加熱手段と、前記炊飯器本体の上面開口部を開閉自在に覆う蓋と、上記請求項１〜３のいずれか１項に記載の電子部品ユニットとを備え、前記炊飯器本体または蓋に前記電子部品ユニットを取り付けた炊飯器。
【発明の詳細な説明】
【技術分野】
【０００１】
本発明は、バックアップ用の電池を搭載した電子部品ユニットおよびその電子部品ユニットを備えた炊飯器に関するものである。
【背景技術】
【０００２】
従来、この種の電子ユニットを備えた炊飯器は、鍋と、この鍋を加熱する加熱手段と、この加熱手段に電力を供給するための制御手段を備えた回路部品を有する基板が搭載されている。回路部品を搭載する基板には電源コンセントが抜かれても、時計機能が動きつづけるようにバックアップするための手段として電池が搭載されている（例えば、特許文献１参照）。また、電池は、表示手段を構成する液晶を固定する液晶ホルダーなどの樹脂部品で外れないように覆われている（例えば、特許文献２参照）。
【特許文献１】特公平５−５４７６３号公報
【特許文献２】特開２００５−１４３９５６号公報
【発明の開示】
【発明が解決しようとする課題】
【０００３】
しかしながら、このような従来の構成では、電池がはんだ付け工程中に外れ、はんだ槽に落ちるのを防止するために、液晶ホルダー（固定手段）などの樹脂部品で電池の上面を覆っていた。その分、電子部品ユニット全体の高さが高くなるという問題を有していた。
【０００４】
本発明は上記従来の課題を解決するもので、電池が外れても電池がはんだ槽に落ちないようにするとともに、高さが高くならないようにすることを第１の目的としている。
【０００５】
また、炊飯器内部の有効スペースを利用し、コンパクトな炊飯器を提供することを第２の目的としている。
【課題を解決するための手段】
【０００６】
本発明の電子部品ユニットは、上記第１の目的を達成するために、基板上に電池とこの電池と略同じ高さの部品とを実装し、部品は基板はんだ付け時の搬送方向からみて電池の略後方になるように配置したものである。
【０００７】
これにより、電池がはんだ付け工程中に外れ、基板搬送方向からみて後方に移動していっても、部品が電池を保持することになり、はんだ槽に落ちるのを防止することができ、固定手段などの樹脂部品で電池の上面を覆う必要がなくなるので、高さが高くならないようにすることができる。
【０００８】
また、本発明の炊飯器は、上記第２の目的を達成するために、炊飯器本体内に鍋を着脱自在に収納し、この鍋を加熱手段により加熱し、炊飯器本体の上面開口部を蓋で開閉自在に覆い、上記電子部品ユニットを炊飯器本体または蓋に取り付けたものである。
【０００９】
これにより、炊飯器内部の有効スペースを利用することができ、コンパクトな炊飯器を提供することができる。
【発明の効果】
【００１０】
本発明の電子部品ユニットは、電池がはんだ付け工程中に外れてもはんだ槽に落ちるのを防止することができ、固定手段などの樹脂部品で電池の上面を覆う必要がなくなるので、高さが高くならないようにすることができ、また、この電子部品ユニットを備えた炊飯器は、炊飯器内部の有効スペースを利用することができ、コンパクトな炊飯器を提供することができる。
【発明を実施するための最良の形態】
【００１１】
第１の発明は、基板上に電池とこの電池と略同じ高さの部品とを実装し、前記部品は基板はんだ付け時の搬送方向からみて前記電池の略後方になるように配置した電子部品ユニットであり、電池がはんだ付け工程中に外れても、電池の略後方に配置した部品が電池を保持することで、はんだ槽に落ちるのを防止することができ、液晶ホルダーなどの樹脂部品で電池の上面を覆う必要がなくなるので樹脂部品の分高さが高くならないようにすることができる。
【００１２】
第２の発明は、上記第１の発明において、電池の端子間を結んだ線と基板はんだ付け時の搬送方向が略直交するように、前記電池を配置した電子部品ユニットであり、電池が傾き、倒れる方向が基板はんだ付け時の搬送方向に限定され、倒れたときに電池の外周部が基板の上面に接触するので、電池の高さより低い部品で電池を保持することができ、はんだ槽に落ちるのを防止することができる。
【００１３】
第３の発明は、上記第１または第２の発明において、表示動作をする表示手段と、この表示手段を固定する固定手段とを備え、電池は前記表示手段の外側に配置し、前記電池の略後方に配置した部品に代えて、前記固定手段に前記電池の高さと略同じ高さの延設部を設け、前記延設部は基板はんだ付け時の搬送方向からみて前記電池の略後方になるように設けた電子部品ユニットであり、固定手段に設けた延設部により電池を保持することで、はんだ槽に落ちるのを防止することができ、固定手段で電池の上面を覆う必要がなくなるので固定手段の分高さが高くならないようにすることができる。
【００１４】
第４の発明は、炊飯器本体内に着脱自在に収納される鍋と、前記鍋を加熱する加熱手段と、前記炊飯器本体の上面開口部を開閉自在に覆う蓋と、上記請求項１〜３のいずれか１項に記載の電子部品ユニットとを備え、前記電子部品ユニットは、前記炊飯器本体または蓋に取り付けた炊飯器であり、炊飯器内部の有効スペースを利用することができ、コンパクトな炊飯器を提供することができる。
【００１５】
以下、本発明の実施の形態について、図面を参照しながら説明する。なお、この実施の形態によって本発明が限定されるものではない。
【００１６】
（実施の形態１）
図１は、本発明の実施の形態１における電子部品ユニットを示すものである。なお、図面を簡潔にするために、電子部品の一部は省略している。また、矢印ははんだ付け工程で基板が搬送される方向を示している。
【００１７】
図１に示すように、基板１は紙フェノール材に銅箔を接着させたものである。表示手段２は現在時間、メニュー選択時の表示などの炊飯や保温に必要な情報を表示するもので、本実施の形態では、液晶を使用している。固定手段３は、例えば、ＰＥＴやＡＢＳなどの樹脂材料を成形し、表示手段２を固定している。電池４は商用電源から電力を供給できなくなったとき、時計機能を動作させたりするために電力を供給する。電池４は、本実施の形態では、リチウム一次電池を使っている。
【００１８】
部品５は、回路を構成する電子部品の１つで、基板１のはんだ付け時の搬送方向からみて電池４の後方になるように配置している。この部品５は、本実施の形態では、電解コンデンサを用いている。特に図示していないが、この電解コンデンサのリード線は基板の穴を通した後、曲げられており、振動を受けてもはずれないようになっている。
【００１９】
表示手段２を構成する液晶の高さは約６ｍｍである。この液晶の厚さは約３ｍｍあるので、この液晶と基板１の間の空間は約３ｍｍとなる。電池４の高さは約６ｍｍなので、電池４がはずれるのを防止するために、電池４をこの液晶の下に入れようとすると、液晶の高さを９ｍｍにする必要がある。部品５を構成する電解コンデンサの高さは約６ｍｍで、電池４の高さ６ｍｍに対し、ほぼ同等の高さとなっている。
【００２０】
上記構成において図２を参照しながら基板１のはんだ付け工程の動作、作用を説明する。なお、図２において、矢印は本実施の形態の基板１が搬送される方向を示している。
【００２１】
図２に示すように、はんだ槽６の中には、はんだが液体状態なるまで温められている。基板１は、ここでは特に図示していないが、基板搬送方向から見て両端がローラーに乗せられており、このローラーを回転して、基板１は搬送されている。基板搬送方向は矢印に示すように、左斜め上方向である。
【００２２】
基板１がはんだ槽６の上面にきたときに、はんだ槽６の中ではんだが噴流を起こし、この噴流を基板１の下面にあててはんだ付けをする。このとき、ローラーを転がしたときや、ローラーを急停止したときに振動が発生する。この振動が大きなときに電池４がはずれる場合がある。電池４は外れると、基板１の搬送方向と傾きの関係から基板１の搬送方向の後方に移動していくが、電池４の略後方になるように部品（電解コンデンサ）５を配置しているので、そこで電池４を保持することができ、はんだ槽６に落ちるのを防止することができる。
【００２３】
以上のように、本実施の形態においては、基板１上に電池４とこの電池４と略同じ高さの部品５とを実装し、部品５は基板はんだ付け時の搬送方向からみて電池４の略後方になるように配置したので、電池４がはんだ付け工程中に外れても、電池４の略後方に配置した部品５が電池４を保持することで、はんだ槽６に落ちるのを防止することができ、液晶ホルダーなどの樹脂部品で電池４の上面を覆う必要がなくなるので樹脂部品の分高さが高くならないようにすることができる。
【００２４】
（実施の形態２）
図３は、本発明の実施の形態２における電子部品ユニットを示すものである。なお、図面を簡潔にするために、電子部品の一部は省略し、上記実施の形態１と同じ構成のものは同一符号を付して説明を省略する。また、矢印ははんだ付け工程で基板が搬送される方向を示している。
【００２５】
図３に示すように、電池４は、表示手段２を固定した固定手段３の外側に、電池４の端子Ａと端子Ｂを結ぶ線と基板１のはんだ付け時の搬送方向が略直交するように配置している。部品２１は、回路を構成する電子部品の１つで、基板１のはんだ付け時の搬送方向からみて電池４の略後方になるように配置している。この部品２１は、本実施の形態では、ＩＣを用いている。このＩＣの高さは約３ｍｍである。
【００２６】
上記構成において図４を参照しながら基板１のはんだ付け工程の動作、作用を説明する。なお、図４は、はんだ付け工程時に、電池４がはずれ倒れた状態を示しており、矢印は本実施の形態の基板１が搬送される方向を示している。
【００２７】
図４に示すように、はんだ付け工程中に電池４がはずれると、電池４は斜めに傾いて倒れる。図４のように倒れるのは、電池４の端子Ａと端子Ｂが基板搬送方向に対し略直交しているために、電池４の傾く方向が限定されるからである。さらに、搬送方向の力が加わり、図４のように倒れる。
【００２８】
この倒れた状態で、電池４は基板搬送方向からみて後方に移動していくが、電池４の略後方になるように部品２１を配置しているので、そこで電池４を保持することができ、はんだ槽６に落ちるのを防止することができる。また、電池４が倒れることにより、基板１と電池４の間に隙間ができないので、電池４の高さより低い部品でも、電池４を保持することができる。したがって、例えば、炊飯器の回路を構成する電子部品の抵抗やＩＣを配置することができ、部品配置の自由度を向上することができ、コンパクトな電子部品ユニットを実現できる。
【００２９】
以上のように、本実施の形態においては、電池４の端子間を結んだ線と基板１のはんだ付け時の搬送方向が略直交するように、電池４を配置したので、電池４が傾き、倒れる方向が基板はんだ付け時の搬送方向に限定され、倒れたときに電池４の外周部が基板１の上面に接触するので、電池４の高さより低い部品で電池４を保持することができ、はんだ槽に落ちるのを防止することができる。
【００３０】
（実施の形態３）
図５は、本発明の実施の形態３における電子部品ユニットを示すものである。なお、図面を簡潔にするために、電子部品の一部は省略し、上記実施の形態１と同じ構成のものは同一符号を付して説明を省略する。また、矢印ははんだ付け工程で基板が搬送される方向を示している。
【００３１】
図５に示すように、固定手段２２は、表示手段２を固定するもので、ＰＥＴやＡＢＳなどの樹脂材料を成形して構成している。電池４は表示手段２の外側に配置し、固定手段２２に電池４の高さと略同じ高さの延設部２３を設け、この延設部２３は基板はんだ付け時の搬送方向からみて電池４の略後方になるように設けている。
【００３２】
上記構成において作用を説明する。電池４の略後方に電池４と略同じ高さの延設部２３を固定手段２２に設けることで、電池４の上面を固定手段２２などで覆う必要がなく、電子部品ユニットの高さを低くできる。
【００３３】
以上のように、本実施の形態においては、電池４は表示手段２の外側に配置し、表示手段２を固定する固定手段２２に電池４の高さと略同じ高さの延設部２３を設け、この延設部２３は基板はんだ付け時の搬送方向からみて電池４の略後方になるように設けたので、固定手段２２に設けた延設部２３により電池４を保持することで、はんだ槽に落ちるのを防止することができ、固定手段２２で電池４の上面を覆う必要がなくなるので固定手段２２の分高さが高くならないようにすることができ、安価でコンパクトな電子部品ユニットを実現できる。
【００３４】
（実施の形態４）
図６は、本発明の実施の形態４における炊飯器の断面図を示すものである。なお、図面を簡潔にするために、電気的接続のためのリード線や部品を固定するねじは省略している。
【００３５】
図６に示すように、炊飯器本体７は、上面開口部を覆うように蓋８を開閉自在に設置している。炊飯器本体７の内部に鍋１２を着脱自在に収納できるように収納部９を設けており、この収納部９の底部に第１の加熱コイル（加熱手段）１０を配設し、第１の加熱コイル１０の外周側にフェライトコア１１を配設している。第１の加熱コイル１０は鍋１２の底部の中心の略真下に中心を有する巻き線である。
【００３６】
鍋１２は、上端開口部に外側にせり出したフランジ１３を有し、フランジ１３を収納部９の上端から浮き上がった状態で載置することにより、収納部９に着脱自在に収納される。したがって、鍋１２は収納時に、収納部９との間に隙間を有する。
【００３７】
蓋８に蓋加熱板１４を着脱自在に設けている。この蓋加熱板１４はステンレスなどの金属で形成している。第２の加熱コイル１５は蓋８に内蔵して蓋加熱板１４を誘導加熱するようにしている。回路基板１６は、第１の加熱コイル１０および第２の加熱コイル１５を制御するもので、ＩＧＢＴ、ダイオードブリッジ、コンデンサなどが実装されている。
【００３８】
電子部品ユニット１７は、上記実施の形態１〜３のいずれかにより構成したもので、本実施の形態では、蓋８に配置して操作表示部としての機能を有し、回路基板１６と電気的に接続している。
【００３９】
巻き取り式の電源コード収納部１８は、回路基板１６にリード線を介して電気的に接続している。電源コード収納部１８はストッパーとばねを用いて電源コードを巻き取ることを可能にしている。温度検知手段１９は、サーミスタで構成し、鍋１２の底部の略中心に配置し、鍋１２の温度を検知するようにしている。冷却手段２０は、回路基板１６を冷却するもので、直流ブラシレスモータの回転子にファンを取り付けたファンモータで構成している。
【００４０】
上記構成において作用を説明する。電子部品ユニット１７を上記実施の形態１〜３のいずれかにより構成することで、電子部品ユニット１７全体の高さを電池４の高さまで低くすることができる。したがって、蓋８の空間を利用して配置することができる。また、表示手段２を構成する液晶を薄型化したりする必要がないので、安価でコンパクトにできる。
【００４１】
以上のように、本実施の形態においては、炊飯器本体７内に鍋１２を着脱自在に収納し、この鍋１２を第１の加熱コイル１０により加熱し、炊飯器本体７の上面開口部を蓋８で開閉自在に覆い、上記実施の形態１〜３のいずれかの電子部品ユニット１７を蓋８に取り付けたので、炊飯器内部の有効スペースを利用することができ、コンパクトな炊飯器を提供することができる。
【００４２】
なお、本実施の形態では、電子部品ユニット１７は、蓋８に取り付けているが、炊飯器本体７内の有効スペースを利用して取り付けてもよく、同様の作用、効果を得ることができる。
【産業上の利用可能性】
【００４３】
以上のように、本発明にかかる電子部品ユニットは、電池がはんだ付け工程中に外れてもはんだ槽に落ちるのを防止することができ、固定手段などの樹脂部品で電池の上面を覆う必要がなくなるので、高さが高くならないようにすることができ、また、この電子部品ユニットを備えた炊飯器は、炊飯器内部の有効スペースを利用することができ、コンパクトな炊飯器を提供することができるので、バックアップ用の電池を搭載した電子部品ユニットおよびその電子部品ユニットを備えた炊飯器として有効である。
【図面の簡単な説明】
【００４４】
【図１】本発明の実施の形態１における電子部品ユニットの正面図
【図２】同電子部品ユニットのはんだ付け工程を示す側面図
【図３】本発明の実施の形態２における電子部品ユニットの正面図
【図４】同電子部品ユニットのはんだ付け工程を示す側面図
【図５】本発明の実施の形態３における電子部品ユニットの正面図
【図６】本発明の実施の形態４における炊飯器の断面図
【符号の説明】
【００４５】
１  基板
４  電池
５  部品
【図１】
2007115611.tif 000003
【図２】
2007115611.tif 000004
【図３】
2007115611.tif 000005
【図４】
2007115611.tif 000006
【図５】
2007115611.tif 000007
【図６】
2007115611.tif 000008